(57)【要約】【課題】排便をその場で行える機能性に優れた簡易構造のベッドを提供する。【解決手段】背部レスト６１と座部レスト６２と下腿部レスト６３とを有して椅子形状に変換するベッドである。座部レスト６２には、使用者の臀部に対応する排便口６２Ａと該排便口を開閉するスライド蓋１０が設けられる。スライド蓋１０は、背部レスト６１の起立時に座部レスト６２の表面に平行する面に沿って排便口６２Ａを閉鎖する初期位置と排便口６２Ａを開放する退避位置との間を移動可能とされる。又、スライド蓋１０には、該スライド蓋１０を初期位置と退避位置との間で往復移動せしめる蓋開閉駆動部５３が連結される。又、排便口６２Ａの両側には、表面高さがスライド蓋１０よりも高くなる位置まで浮上可能な便座部１１が設けられ、スライド蓋１０を移動させる前に便座部１１が便座昇降駆動部５２により押し上げられ、使用者の臀部も便座部１１と共に押し上げられる。【選択図】図１７
2009125279.tif 000002
【特許請求の範囲】
【請求項１】
使用者の臀部及び大腿部を支持する座部レストと、使用者の上半身を支持するべく前記座部レストの一端部に連結して起伏可能とされる背部レストと、使用者の下腿部を支持するべく前記座部レストの他端部に連結して下方に屈曲可能とされる下腿部レストと、を有するベッドにおいて、
前記座部レストには、使用者の臀部に対応する排便口と該排便口を開閉するスライド蓋が設けられ、
前記スライド蓋は、前記背部レストの起立時に前記座部レストの表面に平行する面に沿って前記排便口を閉鎖する初期位置と前記排便口を開放する退避位置との間を移動可能とされると共に、
前記スライド蓋には、該スライド蓋を前記初期位置と前記退避位置との間で往復移動せしめる蓋開閉駆動部が連結されていることを特徴とするベッド。
【請求項２】
前記座部レストに前記スライド蓋の移動案内をするガイドレールが固設され、前記背部レストには、該背部レストの倒伏時に前記ガイドレールを収容するレール収容凹部が形成されていることを特徴とする請求項１記載のベッド。
【請求項３】
前記排便口の両側に、表面高さが前記スライド蓋よりも高くなる位置まで浮上可能な便座部が設けられ、前記座部レストの下方には、前記スライド蓋を移動させる前に前記便座部を介して使用者の臀部を押し上げる便座昇降駆動部が設けられていることを特徴とする請求項１、又は２記載のベッド。
【請求項４】
前記背部レストの起立時において前記排便口が対向する位置に便器が設置されることを特徴とする請求項１〜３のいずれかに記載のベッド。
【発明の詳細な説明】
【技術分野】
【０００１】
本発明は、身障者や病弱な高齢者などの要介護者を主対象とするベッドに係わり、特に自立歩行の困難な身障者がベッドを離れずして排便を行えるようにしたベッドに関する。
【背景技術】
【０００２】
従来、要介護者を主たる対象として、ベッド上で起き上がった姿勢のまま排便を行えるよう、種々の便器付ベッドが提案されている。
【０００３】
例えば、使用者の臀部位置に対応して便器の昇降を許容する開口部を設けると共に、その開口部に水平状態から下方に旋回可能な開閉部を設け、その開閉部を下方旋回して開口部を開放したとき、開口部を通じて便器が使用者の臀部に接触する位置まで上昇するようにしたベッドが提案されている（例えば、特許文献１）。
【０００４】
【特許文献１】特開２００１−３４０３９８号公報（段落００３２〜００６１、図１〜図７）
【発明の開示】
【発明が解決しようとする課題】
【０００５】
しかしながら、特許文献１のように便器に対応する開口部が開閉部の下方旋回により開放する構成では、便器を開口部に対応する位置に据え付けてしまうと、開閉部が便器に干渉して開口部を開閉できなくなるので、便器を開口部の直下から退ける便器移動機構が必要となり、ベッド全体として構造が複雑となり、コスト高にもなるという問題がある。
【０００６】
又、下方旋回する開閉部では、当該開閉部が自重や使用者からの荷重を受けて不用意に開放し、使用者の臀部が開口部に嵌まり込んでしまう危険性がある。尚、この点、特許文献１では、開口部に穴あきの布を張設し、その布が便器の便座に接触するようにしているが、その種の布では便器が上昇端に達するまで使用者の臀部を支持することは難しく、安全性に欠ける上、開口部を閉鎖するときに開閉部が前記布を介して使用者の沈み込んだ臀部を押し上げるようになるため、開閉部の上方旋回には大きな駆動トルクが必要になり、そのトルク不足により開口部が閉まらなくなる虞がある。
【０００７】
本発明は以上のような事情に鑑みて成されたものであり、その目的は排便をその場で行える機能性に優れた簡易構造のベッドを提供することにある。
【課題を解決するための手段】
【０００８】
本発明は上記目的を達成するため、
使用者の臀部及び大腿部を支持する座部レスト６２と、使用者の上半身を支持するべく前記座部レストの一端部に連結して起伏可能とされる背部レスト６１と、使用者の下腿部を支持するべく座部レスト６２の他端部に連結して下方に屈曲可能とされる下腿部レスト６３と、を有するベッドにおいて、
座部レスト６２には、使用者の臀部に対応する排便口６２Ａと該排便口を開閉するスライド蓋１０が設けられ、
スライド蓋１０は、背部レスト６１の起立時に座部レスト６２の表面に平行する面に沿って排便口６２Ａを閉鎖する初期位置と排便口６２Ａを開放する退避位置との間を移動可能とされると共に、
スライド蓋１０には、該スライド蓋１０を前記初期位置と前記退避位置との間で往復移動せしめる蓋開閉駆動部５３が連結されていることを特徴とする。
【０００９】
加えて、座部レスト６２にスライド蓋１０の移動案内をするガイドレール６２Ｄが固設され、背部レスト６１には、該背部レスト６１の倒伏時にガイドレール６２Ｄを収容するレール収容凹部６１Ａが形成されていることを特徴とする。
【００１０】
又、排便口６２Ａの両側に、表面高さがスライド蓋１０よりも高くなる位置まで浮上可能な便座部１１が設けられ、座部レスト６２の下方には、スライド蓋１０を移動させる前に便座部１１を介して使用者の臀部を押し上げる便座昇降駆動部５２が設けられていることを特徴とする。
【００１１】
更に、背部レスト６１の起立時において排便口６２Ａが対向する位置に便器Ｔが設置されることを特徴とする。
【発明の効果】
【００１２】
本発明のベッドによれば、排便口を開閉するスライド蓋が座部レストの表面に平行な面に沿って移動可能とされていることから、排便口が不用意に開放してしまう危険性が少なく安全であり、しかも排便口に対応する定位置に便器を固設しても排便口の開閉に際してスライド蓋が干渉しないので、便器を前後左右に移動させるような機構が不要となり、全体として簡易構造のベッドにすることができる。又、スライド蓋には蓋開閉駆動部が連結されることから、その蓋開閉駆動部に流体圧シリンダなどを用いて排便口の開閉を自動化することができる。
【００１３】
加えて、座部レストにスライド蓋の移動案内をするガイドレールが固設されていることから、スライド蓋の移動を円滑に行え、しかも背部レストにはその倒伏時にガイドレールを収容するレール収容凹部が形成されていることから、背部レストの倒伏時においてその背部レスト上に敷かれるマットレスがガイドレールに押されて隆起してしまうことを防止しながら、ガイドレールにより背部レスト上のマットレスを支持して該マットレスの沈み込みを防止することができる。
【００１４】
又、排便口の両側に、表面高さがスライド蓋よりも高くなる位置まで浮上可能な便座部が設けられ、座部レストの下方には、便座部を介して使用者の臀部を押し上げる便座昇降駆動部が設けられていることから、その便座部により使用者の臀部両側を支持して排便口の開放時に使用者の臀部が排便口に落ち込むことを防止しながら、便座昇降駆動部による便座部および使用者の臀部の押し上げにより、スライド蓋の移動を負荷なく良好に行え、スライド蓋による使用者の臀部の擦過も防止できる。
【００１５】
更に、排便口が対向する位置に便器が設置されることから、排便口から落下する排泄物を室内床上に落とさず便器に受容することができる。
【発明を実施するための最良の形態】
【００１６】
以下、図面に基づいて本発明を詳しく説明する。先ず、図１において、１は架台であり、この架台１はベースフレーム２と可動フレーム３とで構成される。ベースフレーム２は、複数の鋼材を接合するなどして構成される剛体であり、その前後左右には支持脚２１が固着され、前後方向に延びる左右一対のサイドビーム２２には支柱２３が固着されている。
【００１７】
図２および図３から明らかなように、ベースフレーム２には、サイドビーム２２の内側で左右一対のガイドレール２４が平行に設けられると共に、その両ガイドレール２４上には左右一対のブラケット２５が形成され、そのブラケット２５により後述する旋回アーム４の一端が回転自在に支持される構成としてある。
【００１８】
更に、図１に示すように、ベースフレーム２の長さ方向一端部には、可動フレーム３を前後方向に往復移動させるための駆動源として、モータ駆動式のシリンダ装置５が設置される。尚、シリンダ装置５は油圧シリンダでも空気圧シリンダでもよい。
【００１９】
一方、図１および図４〜図５に示すように、可動フレーム３も複数の鋼材を接合するなどして構成される剛体であり、その下部にはベースフレーム２のガイドレール２４に係合する移動用のローラ３１が装着されている。そして、係る可動フレーム３には図１のようにシリンダ装置５の伸縮ロッド部５１が接続され、その伸縮動作により可動フレーム３がベースフレーム２内でその長さ方向（ガイドレール２４）に沿って往復移動するようになっている。尚、図４および図５において、３２は可動フレーム３に固着した結合ピンである。
【００２０】
又、図１において、６は架台１上に配置される平板状の床板フレームである。この床板フレーム６は、使用者の上半身を支持する背部レスト６１、使用者の臀部及び大腿部を支持する座部レスト６２、使用者の下腿部を支持する下腿部レスト６３、及び使用者の足部を支持する足部レスト６４に区分され、それら各レスト６１〜６４の隣り合うもの同士が屈曲可能に連結されている。尚、背部レスト６１と座部レスト６２は、その両者６１，６２の側縁から立ち上がるヒンジ６５Ａにより連結されて下向きに凸となる谷折状態に屈曲可能とされる一方、座部レスト６２と下腿部レスト６３、及び下腿部レスト６３と足部レスト６４は、それぞれヒンジ６５Ｂ，６５Ｃにより連結されて上向きに凸となる山折状態に屈曲可能とされている。
【００２１】
そして、その各レスト６１〜６４の表面上には、３分割されたマットレスＭ１〜Ｍ３が取り付けられ、そのマットレスＭ１〜Ｍ３上に使用者が横臥できるようになっている。
【００２２】
ここで、背部レスト６１の裏面には、座部レスト６２の下方位置まで延びる左右一対の作動板６６が固着され、その作動板６６，６６の間には、図６および図７で明らかなように溝形のガイドレール６７が固着されている。
【００２３】
図１に示されるように、ガイドレール６７内にはローラ４１が回転自在に嵌め込まれ、そのローラ４１が上記旋回アーム４の先端に回転自在に支持されている。又、作動板６６の中間部分は、ベースフレーム２を構成する支柱２３の上端部に回転自在に結合されている。これにより、背部レスト６１は、作動板６６とベースフレーム２との結合部Ｐ１を中心に上下方向に旋回可能にして支持され、座部レスト６２との連結部分（ヒンジ６５Ａ）を中心に起伏することとなる。又、作動板６６の先端部６６Ａは、該作動板６６とベースフレーム２との結合部Ｐ１より下方にあって、可動フレーム３の前部（使用者のヘッド側にある上記結合ピン３２）と伝動リンク７で連結される。
【００２４】
伝動リンク７は、可動フレーム３の移動方向に対して若干傾斜し、作動板６６に結合する一端側が他端側よりも低くなるように設定されており、これによりシリンダ装置５を駆動して可動フレーム３を図１の右方に移動させると、作動板の先端部６６Ａに伝動リンク７による引張力が作用し、以って作動板６６が結合部Ｐ１を中心に揺動するために背部レスト６１の上方旋回（起立動作）が行われ、逆に可動フレーム３を図１の左方に移動させれば、伝動リンク７による作動板の先端部６６Ａの押圧により背部レスト６１の下方旋回（倒伏動作）が行われる。
【００２５】
尚、背部レスト６１が下方旋回して図１のように水平状態に倒伏したときには、その裏面がベースフレーム２の一端部上に配される背受け部２６に当って背部レスト６１が水平状態に維持されるようになっているが、背受け部２６に代えて図示せぬ脚体を背部レスト６１の裏面に直角に固着し、背部レスト６１の倒伏時にその脚体がベースフレーム２の上面上もしくは床面上に直立して背部レスト６１を支持する構成としてもよい。
【００２６】
又、シリンダ装置５は、その伸縮ロッド部５１を可動フレーム３に接続することに限らず、両端クレビス形のシリンダ装置５にして、これをベースフレーム２と旋回アーム４又は背部レスト６１の裏面との間に架設するようにしてもよく、この場合でも背部レスト６１を旋回させながら可動フレーム３の移動を行うことができる。
【００２７】
一方、床板フレーム６を図１のようにフラットな状態に展開してベッド形にしたとき、座部レスト６２、下腿部レスト６３、及び足部レスト６４は架台１を構成する可動フレーム３により支持される。
【００２８】
このうち、座部レスト６２は、下腿部レスト６３との連結側（ヒンジ６５Ｂ側）が連接杆８を介して可動フレーム３の後部（使用者の足元側）に連結される。尚、図１において、６８は座部レスト６２の裏面に固着したブラケットで、そのブラケット６８に連接杆８の一端が回転自在に結合されている。又、下腿部レスト６３は、座部レスト６２と足部レスト６４との間でその両者６２，６４に連結されるのみで架台１とは連結されず、足部レスト６４は、下腿部レスト６３とは反対側の端部がヒンジ部材６９を介して可動フレーム３の上端部に連結されている。
【００２９】
しかして、以上のように構成されるベッドでは、シリンダ装置５を駆動して可動フレーム３を図１の右方に移動させることにより、床板フレーム６が図１のようなフラット状に展開したベッド形から椅子形に転換するが、その動作説明は後述する。
【００３０】
次に、図８は可動フレームを部分的に拡大して示す。この図で明らかなように、可動フレーム３にはトリガーレバー３３が取り付けられている。トリガーレバー３３は連接杆８に確定運動を行わせるためのものであり、その一端部は可動フレーム３に回転自在に結合され、他端には直角に切り欠かれた凹部３３Ａが形成される。そして、そのトリガーレバー３３は、可動フレーム３との結合部Ｐ２を中心に上下に揺動可能とされており、凹部３３Ａでは連接杆８と座部レスト６２との結合部と同心のピンＰ３が支持される。尚、ピンＰ３にはローラ９が装着され、そのローラ９は可動フレーム３の内側面に形成される受座３４により支持される。又、トリガーレバー３３の支点側の一端には突片３３Ｂが形成され、その突片３３Ｂと可動フレーム３との間にはトリガーレバー３３に図８の反時計回りの付勢力を与えるためのバネ３５が掛けられる。更に、図８から明らかなように、連接杆８は、可動フレーム３との結合側の一端に長孔８Ａを有し、その長孔８Ａにより長さ方向への移動を許容されている。
【００３１】
そして、以上のようなトリガーレバー３３によれば、図１に示した背部レスト６１の上方旋回が開始されたとき、使用者による上方からの荷重に抵抗して座部レスト６２を押し上げ、連接杆８に上方旋回する切掛けを与えることができる。
【００３２】
次に、図９は足部レストと可動フレームとの連結部分を拡大して示す。この図で明らかなように、可動フレーム３の一端上部にはブラケット３６が取り付けられ、そのブラケット３６によりヒンジ部材６９の一端部が回転自在に支持されている。ヒンジ部材６９は、先端側が折れ曲がった金属板でなり、その先端部は足部レスト６４の裏面に固着したブラケット６４Ａに回転自在に結合されている。これにより、足部レスト６４は、ヒンジ部材６９との結合部Ｐ４を中心に上下に揺動可能とされ、且つヒンジ部材６９と可動フレーム３との結合部Ｐ５を中心に上下に揺動可能とされるが、図９に示すようなヒンジ部材６９に代えて、ブラケット６４Ａに軸を装着する一方、可動フレーム３に前記軸の移動案内をする長孔を形成するようにしてもよい。
【００３３】
ここで、以上のように構成されるベッドの動作説明をする。図１０は床板フレームが椅子形に転換する状態を順に示したリンク系の動作図で、黒丸は位置固定の回転支点、白丸は移動支点を表している。
【００３４】
図１０から明らかなように、床板フレーム６が椅子形に転換するとき、背部レスト６１は図１に示したベースフレーム２と作動板６６との結合部Ｐ１（回転支点）を中心に上方旋回し、最終的には座部レスト６２に対してヒンジ６５Ａを中心に直立状態まで起き上がる。尚、背部レスト６１が倒伏した状態では図１のように作動板６６とベースフレーム２との結合部Ｐ１（図１０において黒丸で表される回転支点）がヒンジ６５Ａの位置よりも座部レスト６２側にあるため、背部レスト６１の上方旋回が開始されると、これにヒンジ６５Ａで連結される座部レスト６２はヒンジ６５Ａ側が背部レスト６１により引き上げられ、これに相前後して座部レスト６２のヒンジ６５Ｂ側も図８に示したトリガーレバー３３の作用で押し上げられる。このため、連接杆８は、可動フレーム３との結合部を中心とする上方旋回の切掛けを得て（つまり思案点を脱し）、背部レスト６１から座部レスト６２を介して上方旋回力を与えられる。しかして、連接杆８の上方旋回により、座部レスト６２のヒンジ６５Ｂ側がヒンジ６５Ａ側より上方に大きく押し上げられるために、背部レスト６１の上方旋回中に座部レスト６２と下腿部レスト６３との連結部分（ヒンジ６５Ｂ）が図１０(ａ)〜(ｂ)に示されるよう上方に向け凸状に折れ曲がる。このため、床板フレーム６上の使用者はその臀部が足元側にずれず、しかも大腿部と下腿部が座部レスト６２と下腿部レスト６３に支持されたまま折れ曲がるので無理な姿勢を強いられない。
【００３５】
又、背部レスト６１の上方旋回の続行により連接杆８が直立状態から倒伏状態に移行すると、座部レスト６２が下腿部レスト６３側に押し出されつつ徐々に降下される。
【００３６】
一方、可動フレーム３が図１０の右方に移動することにより、同方向に足部レスト６４が引かれ、これに連結する下腿部レスト６３を図１０の左回りに旋回させる。それ故、下腿部レスト６３と足部レスト６４は徐々に二つ折りにされ、背部レスト６１が定位置（略直立に起立した状態）まで起き上がった状態では、図１０(ｄ)のように座部レスト６２が架台上で水平状に支持されると共に、その座部レスト６２の下方位置で足部レスト６４が下腿部レスト６３の裏側に折り畳まれる。尚、床板フレーム６が椅子形に屈曲した状態では、下腿部レスト６３が座部レスト６２に対して直角になるようにしてもよいが、本例によれば、図１０(ｄ)のように水平となった座部レスト６２に対し、下腿部レスト６３が鋭角状に折れ曲がって座部レスト６２上における使用者（着座者）が下肢（脚部）を鋭角状に折り曲げて座部レスト６２の下方位置で足を着地させることを許容されるのであり、このため着座者は身体の重心を前方に移して介護人の助けを借りずに自力で立ち上がることが可能となる。
【００３７】
図１１は、床板フレームを屈曲させる駆動系を省略した図で、(ａ)は背部レスト６１が倒伏した状態、(ｂ)は背部レスト６１が起立した状態を示す。図１１において、Ｔは便器（給排水管を接続した水洗式、あるいはポータブル式）であり、この便器Ｔは背部レスト６１の起立時に座部レスト６２の直下となる位置で室内床上に設置され、図１１(ｂ)の状態で座部レスト６２に形成される後述の排便口が便器Ｔの上端開口部に対向するようになっている。
【００３８】
又、５２は座部レスト６２に設けられる後述の便座部を押し上げる便座昇降駆動部、５３は座部レスト６２に設けられる後述のスライド蓋を移動せしめる蓋開閉駆動部である。本例において、便座昇降駆動部５２は、ヘッド側（ロッド側）を上向きにして座部レスト６２の下方でベースフレーム２に取り付けられる流体圧シリンダであり、そのロッド先端には転動ローラ５２Ａが取り付けられている。一方、蓋開閉駆動部５３は、倒伏した背部レスト６１の下方となる位置でベースフレーム２に水平状に取り付けられる流体圧シリンダであり、そのロッド先端は連結金具５４を介して上記スライド蓋に連結されている。
【００３９】
尚、便座昇降駆動部５２として、転動ローラ５２Ａに代わるカムをモータで回転駆動する構成とするなどしてもよい。又、蓋開閉駆動部５３として、リニアモータを利用することもできる。
【００４０】
次に、図１２は図１１(ｂ)のＣ−Ｃ線位置における座部レスト６２の断面を示す。この図で明らかなように、便座昇降駆動部５２は便器Ｔを挟んでその左右両側となる位置に配置されている。又、図１２において、６２Ａは上記の排便口であり、この排便口６２Ａは座部レスト６２の幅方向中央に形成されている。排便口６２Ａの両側縁を成す左右一対のリブ６２Ｂには突片６２Ｃが固着されており、その突片６２Ｃにより上記スライド蓋１０が排便口６２Ａ上で支持される構成としてある。特に、スライド蓋１０は、座部レスト６２の表面に平行する面に沿って、排便口６２Ａを閉鎖する位置（初期位置）と排便口６２Ａを開放する位置（退避位置）との間を移動可能とされている。一方、１１は上記の便座部であり、この便座部１１はスライド蓋１０を挟んで排便口６２Ａの左右両側に設けられ、当該便座部１１が便座昇降駆動部５２を構成する転動ローラ５２Ａと上記リブ６２Ｂとによって下方から支持されるようになっている。
【００４１】
ここに、スライド蓋１０と便座部１１は、それぞれ硬質底板１０Ａ，１１Ａ上に座部レスト６２のマットレスＭ２と表面高さが同一となるクッション１０Ｂ，１１Ｂを固定して構成されている。
【００４２】
尚、図１３のように、座部レストと下腿部レストに共用されるマットレスＭ２には、スライド蓋１０と便座部１１に対応して切欠部Ｍ２ａが形成され、その切欠部Ｍ２ａに便座部１１を構成するＵ字形のクッション１１Ｂが嵌り、該クッション１１Ｂの内側にスライド蓋１０を構成するクッション１０Ｂが嵌まり込むようになっている。
【００４３】
そして、それらクッション１０Ｂ，１１Ｂをもつスライド蓋１０と便座部１１とにより使用者の臀部が支持されるようになっている。特に、便座部１１はその表面高さがスライド蓋１０よりも高くなる位置まで浮上可能とされ、係る便座部１１が便座昇降駆動部５２で押し上げられることにより該便座部１１を介して使用者の臀部も押し上げられ、その状態でスライド蓋１０の移動が行われるようになっている。尚、図１２において、一点鎖線は使用者の臀部をあらわしている。
【００４４】
次に、図１４はフラット状に展開された床板フレーム６の平面概略図を示す。この図で明らかなように、座部レスト６２には、スライド蓋１０の移動案内をする左右一対のガイドレール６２Ｄが固設されている。両ガイドレール６２Ｄ，６２Ｄは断面Ｌ字形の形態であり、その相互間に上記蓋開閉駆動部５３が位置付けられている。又、背部レスト６１にはガイドレール６２Ｄに対応してレール収容凹部６１Ａが形成され、当該背部レスト６１の倒伏時においてレール収容凹部６１Ａにガイドレール６２Ｄが嵌まり込んで収容されるようになっている。ここに、背部レスト６１が起立したとき、スライド蓋１０は蓋開閉駆動部５３の伸縮駆動により図１４に示される初期位置（排便口６２Ａを閉鎖する位置）とガイドレール６２Ｄ側の退避位置（排便口６２Ａを開放する位置）との間での往復移動が可能とされる。
【００４５】
尚、スライド蓋１０に蓋開閉駆動部５３を連結するための上記連結金具５４は、図１４の点線位置で屈曲可能とされ、且つ蓋開閉駆動部５３を構成する流体圧シリンダのロッド先端に対して連結金具５４が上下方向に遊びを有して連結されており、これにより図１０のような座部レスト６２の傾き運動が許容されている。一方、座部レスト６２には下腿部レスト６３側に張り出す凸部６２Ｅが形成され、下腿部レスト６３には凸部６２Ｅに対応して該凸部６２Ｅを受け入れる凹部６３Ａが形成されている。尚、この凹部６３Ａは、図１１(ｂ)のように背部レスト６１の起立時に便器Ｔの先端部を受け入れる。
【００４６】
又、図１５から明らかなように、便座部１１は凸部６２Ｅに向けて伸びる腕部１１Ｃを有し、該腕部１１Ｃの先端が凸部６２Ｅの内側で座部レスト６２にピンＰ６にて接合されている。従って、便座部１１は便座昇降駆動部５２から押圧力を受けたとき、ピンＰ６を支点に上方旋回してピンＰ６とは逆側が上がった傾斜姿勢でその表面高さがスライド蓋１０よりも高くなる位置まで浮上する。尚、図１５には、便座部１１を押し上げるときの転動ローラ５２Ａの位置が示される。
【００４７】
図１６は、スライド蓋１０が排便口６２Ａを閉鎖する初期位置にあって、便座部１１が押し上げられる前の状態であり、この状態では便座部１１とスライド蓋１０の表面高さは同一となっている。ここに、便座昇降駆動部５２を伸長して便座部１１を押し上げた後、蓋開閉駆動部５３を縮小することによりスライド蓋１０の退避位置への移動が行われる。尚、本例において、座部レスト６２は上記背部レスト６１の起伏時に前後（図１６の左右方向）に移動するため、背部レスト６１の起伏途中には蓋開閉駆動部５３の伸縮が行われてスライド蓋１０に移動力が作用しないようになっている。
【００４８】
図１７は、便座部１１が押し上げられた後でスライド蓋１０が退避位置に移動されて排便口６２Ａが開放された状態を示す。この図で明らかなように、便座昇降駆動部５２により便座部１１が押し上げられると、当該便座部１１で支持されている使用者の臀部も押し上げられるのであり、このためスライド蓋１０に対し臀部の圧力が作用しなくなることからスライド蓋１０の移動を円滑に行うことができる。尚、スライド蓋１０を退避位置まで移動されると、便座昇降駆動部５２が縮小されることにより、便座部１１の降下が行われて排便可能な状態となり、排便後には図示せぬ手元スイッチの操作により便座部１１が再度押し上げられ、次いでスライド蓋１０が初期位置に戻された後、便座部１１の降下が行われる。
【００４９】
以上、本発明の構成例を説明したが、本発明は椅子形になるベッドにして上記のようなスライド蓋１０や便座部１１を有する構成であればよく、ベッド自体を椅子形にする機構は上記例に限らない。
【図面の簡単な説明】
【００５０】
【図１】本発明に係るベッドの基本的構成例を示す側面図（ベッド形の状態）
【図２】架台を構成するベースフレームの側面図
【図３】図２のＡ−Ａ拡大断面図
【図４】架台を構成する可動フレームの側面図
【図５】図４のＢ−Ｂ拡大断面図
【図６】背部レストの正面図
【図７】背部レストの側面図
【図８】可動フレームの部分拡大図
【図９】足部レストと可動フレームの連結部分を示す拡大図
【図１０】本発明に係るベッドの動作説明図
【図１１】同ベッドを椅子形に屈曲させる駆動機構を省略した側面図
【図１２】図１１(ｂ)のＣ−Ｃ線位置における座部レストの断面図
【図１３】スライド蓋と便座部を含むマットレスの形態を示す平面図
【図１４】床板フレームの展開図
【図１５】座部レストの平面拡大図
【図１６】スライド蓋が初期位置にある状態を示す説明図
【図１７】便座部を押し上げてスライド蓋を退避位置に移動させた状態を示す説明図
【符号の説明】
【００５１】
１０  スライド蓋
１１  便座部
５２  便座昇降駆動部
５３  蓋開閉駆動部
６１  背部レスト
６１Ａ  レール収容凹部
６２  座部レスト
６２Ａ  排便口
６２Ｄ  ガイドレール
６３  下腿部レスト
【図１】
2009125279.tif 000003
【図２】
2009125279.tif 000004
【図３】
2009125279.tif 000005
【図４】
2009125279.tif 000006
【図５】
2009125279.tif 000007
【図６】
2009125279.tif 000008
【図７】
2009125279.tif 000009
【図８】
2009125279.tif 000010
【図９】
2009125279.tif 000011
【図１０】
2009125279.tif 000012
【図１１】
2009125279.tif 000013
【図１２】
2009125279.tif 000014
【図１３】
2009125279.tif 000015
【図１４】
2009125279.tif 000016
【図１５】
2009125279.tif 000017
【図１６】
2009125279.tif 000018
【図１７】
2009125279.tif 000019